(57)【特許請求の範囲】
【請求項１】
送信可能な文字数が異なる複数方式のメール送信機能を有する携帯端末であって、
前記複数方式それぞれに対応した宛先を記憶する記憶手段と、
前記複数方式のうちの１つを選定する選定手段と、
選定した方式に対応する宛先を指定する指定手段と、  
作成中のメール本文の文字数を取得する文字数取得手段と、
前記選定手段で選定した方式で、メールを送信する送信手段とを備え、
前記選定手段は、前記文字数取得手段で取得した文字数が、選定された方式の最大文字数以上の場合には、選定された方式とは異なる方式に選定しなおし、当該異なる方式に選定しなおした後であって、前記文字数取得手段で取得した文字数が、前記最大文字数未満となった場合には、元々選定されていた方式に再度選定しなおす又はユーザからの指示に応じて前記異なる方式か元々選定されていた方式のいずれかを選定し、
前記指定手段は、前記選定手段が最後に選定した方式に対応する宛先を指定する
ことを特徴とする携帯端末。
【請求項２】
前記選定手段は、更に、前記文字数取得手段で取得した文字数のメールを送信可能な方式が複数ある場合には、送信可能な文字数が少ない方の方式を選定する
ことを特徴とする請求項１記載の携帯端末。
【請求項３】
前記携帯端末は、更に、前記文字数取得手段で取得した文字数のメールを送信可能な方式の1つを外部から取得する取得手段を備え、
前記選定手段は、作成中のメールに選定されている方式に替えて、前記取得手段で取得された方式を新たに選定する
ことを特徴とする請求項１記載の携帯端末。
【請求項４】
前記記憶手段は、前記複数の方式のうち回線交換方式でメールを送信する方式に対応する宛先として電話番号を記憶し、パケット交換方式でメールを送信する方式に対応する宛先としてＥメールアドレスを記憶し、
前記選定手段は、新たに選定する方式が回線交換方式の場合は、電話番号を指定し、新たに選定する方式がパケット交換方式の場合は、Ｅメールアドレスを指定する
ことを特徴とする請求項１記載の携帯端末。
【発明の詳細な説明】
【技術分野】
【０００１】
本発明は、複数の方式によるメール送受信機能を有する携帯端末に関し、特にメール作成時の利便性の向上を図る技術に関する。
【背景技術】
【０００２】
従来から、携帯電話機同士で、短い文字のメッセージをやり取りできるサービス、例えばＳＭＳ（Short Message Service）がある。このサービスは、各事業者ごとに規格を決めていることから、原則として、同じ事業者の加入者同士でのみの送受信が可能であり、送受信できるメッセージの文字数が数十文字程度に抑えられているが、送受信費用が安価であるという特徴がある。
【０００３】
一方、携帯電話機からインターネットに接続するサービスが提供されるようになり、いわゆるＥメールの送受信も可能となっている。このＥメールは、インターネットを通じて文字のメッセージをやり取りするもので、長文のメッセージの送受信が可能である。このメッセージの文字数は、事業者や機種によって異なる場合があり、受信側で受信可能文字数をオーバーする場合を考慮し、分割して複数のＥメールとして送信する技術が公開されている（特許文献１参照）。
【０００４】
このように、現在、多くの携帯電話機には、他の携帯電話機とメッセージを交換する方式が少なくとも２つはあり、ユーザはメッセージの送信相手やメッセージ長に応じて、メッセージ交換の方式を使い分けることが出来るようになっている。
【特許文献１】特開２００２−２４７１０２号公報
【発明の開示】
【発明が解決しようとする課題】
【０００５】
しかし、メッセージを作成する場合には、予め、どの方式を用いてメッセージを送信するかを決めてから、送信するメッセージを作成する必要がある。
そのため、メッセージ作成中に伝えたい内容が送信可能文字数で書けなくなったり、伝えたいことが増えたりした場合には、送信可能文字数が多い別の方式で最初からメッセージを作成し直すか、続きを別メッセージで作成する必要があった。
【０００６】
そこで、本発明は、作成中のメッセージの送信可能文字数を意識しなくてもよいメール機能を備える携帯電話機などの携帯端末の提供を目的とする。
【課題を解決するための手段】
【０００７】
上記課題を解決する為に、本発明の携帯端末は、送信可能な文字数が異なる複数方式のメール送信機能を有する携帯端末であって、前記複数方式それぞれに対応した宛先を記憶する記憶手段と、前記複数方式のうちの１つを選定する選定手段と、選定した方式に対応する宛先を指定する指定手段と、作成中のメール本文の文字数を取得する文字数取得手段と、前記選定手段で選定した方式で、メールを送信する送信手段とを備え、前記選定手段は、前記文字数取得手段で取得した文字数が、選定された方式の最大数以上の場合には、選定された方式とは異なる方式に選定しなおし、前記指定手段は、選定しなおした方式に対応する宛先を指定することを特徴とする。
【発明の効果】
【０００８】
本発明に係る携帯端末は、上述の構成を備えることにより、メールを作成している途中でもメールの送信方式を変えることができるので、メール本文の文字数が増えても、その文字数に応じた送信方式でメールを送信することが出来るようになる。さらに、送信方式が変更されるときには、送信方式に応じた宛先に変更されるので、送信方式毎に宛先の指定方法を考慮する必要がなくなる。
【０００９】
従って、送信可能文字数が少ない送信方式でメールを作成し始めたとしても、メール本文の文字数を気にすることなくメールを作成することが出来、送信方式を変えたとしてもメール本文の作成を続行することができる。
また、前記選定手段は、更に、前記文字数取得手段で取得した文字数のメールを送信可能な方式が複数ある場合には、送信可能な文字数が少ない方の方式を選定することとしてもよい。
【００１０】
これにより、作成中のメール本文の文字数が少なかったとしても、その文字数に合った送信方式でメールの送信が出来るので、無駄の無いメールの送信ができるようになる。メールの送信方式および送信文字数により送信料が異なるからである。
また、前記携帯端末は、更に、前記文字数取得手段で取得した文字数のメールを送信可能な方式の1つを外部から取得する取得手段を備え、前記選定手段は、作成中のメールに選定されている方式に替えて、前記取得手段で取得された方式を新たに選定することとしてもよい。
【００１１】
これにより、ユーザが送信方式を選択することができるので、ユーザが送信相手のこと等を考慮入れてメールの送信方式を設定できるようになる。
また、前記記憶手段は、前記複数の方式のうち回線交換方式でメールを送信する方式に対応する宛先として電話番号を記憶し、パケット交換方式でメールを送信する方式に対応する宛先としてＥメールアドレスを記憶し、前記選定手段は、新たに選定する方式が回線交換方式の場合は、電話番号を指定し、新たに選定する方式がパケット交換方式の場合は、Ｅメールアドレスを指定することとしてもよい。
【００１２】
これにより、送信方式がＳＭＳメールに変更されたときには、電話番号が宛先となり、Ｅメールに変更されたときは、メールアドレスが宛先となる。従って、例えば、送信方式がＳＭＳメールからＥメールに変更されたとしても、宛先を指定し直す必要がない。
＜実施形態＞
＜概要＞
本発明に係る携帯電話機のメール機能は、作成しているメール本文の文字数が送信可能文字数に達した場合に、作成したメール本文はそのままに、現在のメール送信方式を変更するものである。より多い文字数を送信できる方式に変更することで、メールを作成する作業を中断することなく最後までメールを作成できる。
【００１３】
この方式変更にあたって、メールの宛先として指定するものが異なる方式に変更する場合には、自動で宛先の変更も行う。
以下、本発明に係る携帯電話機について説明する。
＜構成＞
以下、本発明の実施形態に係る携帯電話機について図１および図２を用いて説明する。
【００１４】
本実施形態の携帯電話機は、ＳＭＳによるメール（以下、「ＳＭＳメール」という。）と、Ｅメールの２種類のメールを送信する機能を有しているものとする。
ＳＭＳメールは、送信可能なメールの文字数が少ないが、送信すると直接相手に届くので、届いたことを確認できるという特徴がある。一方、Ｅメールは、送信可能なメールの文字数は格段に多いが、一旦サーバに蓄えられ、相手が受取れる状態になってから届くという特徴がある。また、Ｅメールは、画像などの大容量のファイルを添付して送信できるという特徴がある。
【００１５】
ＳＭＳメールとＥメールとのこれらの差異は、それらのメール送信方式が異なることから発生する。
ＳＭＳメールは、通常の携帯電話での会話と同様に、回線交換によりメールを送信相手に届け、一方、Ｅメールは、パケット交換によりメールを送信相手に届ける。
以下、図１を用いて、これらの送信方式を簡単に説明する。
【００１６】
図１は、携帯電話機が送信できるメールの送信方式を示す概略図である。
携帯電話機１０００からのメールは、ＰＤＣ（Personal Digital Cellular）方式などのデジタル無線通信方式によって、基地局９０００に送られる。本実施形態では、ＴＤＭＡ（Time Division Multiple Access）を採用するＰＤＣ方式で通信が行なわれるものとする。
【００１７】
この時、ＳＭＳメールは、各事業者固有の規格に則ったデータ形式に変換され、ＴＤＭＡフレームに格納されて基地局９０００に送信される。一方、Ｅメールは、データをパケットにしてＴＤＭＡフレームに格納されて基地局９０００に送信される。
ＳＭＳメールもＥメールも伴に、基地局までは、中身が異なるがＰＤＣ方式のＴＤＭＡ信号として送られる。
【００１８】
基地局は、送信されてきた信号がどちらのメールの信号であるのかを判別し、ＳＭＳメールであれば移動通信交換機９１００を経由して、電話網９１１０につながり、送信相手と1対1の通信回線を確立する。その後、確立した回線を通じてメールを送信する。すなわち、相手に電話をかけて、音声の代りに文字を送るようなものである。
一方、Ｅメールであれば、パケット処理装置９２００でパケットを組み立てる処理を行い、パケット交換網９２１０に送られる。パケット交換網を構成するパケット交換機では、パケットのヘッダを解釈し、パケットは最適な回線を通りパケット交換機間を転送されながら、相手にパケットが届くことになる。受信側は、受取った複数パケットから、メールを生成する。
【００１９】
次に、本発明に係る携帯電話機の構成について説明する。
図２は、携帯電話機１０００の構成を示す機能ブロック図である。
携帯電話機１０００は、アドレス帳記憶部２０００、メール方式記憶部３０００、制御部１１００、操作部１２００、ディスプレイ１３００、送受信部１４００、メール作成部１５００、文字数監視部１６００、メール送信方式選択部１７００およびモード変更部１８００から構成される。
【００２０】
まず、アドレス帳記憶部２０００は、いわゆるアドレス帳を記憶する機能を有する。アドレス帳とは、個人名と電話番号、メールの宛先であるメールアドレス、住所などを関連付けた情報をいう。
メール方式記憶部３０００は、ＳＭＳメールとＥメールの仕様、例えば、送信可能文字数、通信方式などを記憶しておく機能を有する。
【００２１】
これら記憶部に記憶されているデータについては、後述する＜データ＞で詳細に説明する。
制御部１１００は、図示しないＣＰＵ、メモリ等を備え、メッセージの表示制御、通信制御等、携帯電話機に必要な一般的な制御処理を行う他、本発明に特有の制御処理を行う。
【００２２】
操作部１２００は、携帯電話機が一般的に有しているテンキーや、確定キーなどの入力媒体およびその操作を検知する機能を有する。
また、ディスプレイ１３００は、制御部１１００から渡されたデータを、表示する機能を有する。
送受信部１４００は、データの送受信を行う機能を有する。
【００２３】
この送受信部１４００は、パケット通信部１４１０と回線通信部１４２０とで構成されており、本携帯電話機１０００は、２種類の通信方式をサポートしている。
ここで、パケット通信部１４１０は、パケット交換方式による通信を行なう機能を有し、具体的には、メールの内容を本事業者の規格に合わせたデータ形式に加工し、ＴＤＭＡフレームに格納して送信する。
【００２４】
回線通信部１４２０は、回線交換方式で通信を行なう機能を有し、具体的には、メールの内容を分割して複数のパケットを作成し、ＴＤＭＡフレームに格納して送信する。
メール作成部１５００は、ＳＭＳメールおよびＥメールを作成する機能を有する。具体的には、ユーザが選択したメールのモードに入り、ユーザの操作に従ってメールの宛先の設定、メール本文の作成などを行う。以下、ＳＭＳメールを作成する場合をＳＭＳメールモード、Ｅメールを作成する場合をＥメールモードというものとする。
【００２５】
作成しているメール宛先やメール本文は、メール作成部１５００が内部の作業メモリに記憶しているものとする。
次に、文字数監視部１６００は、メール作成部１５００が作成しているメール本文の文字数を監視する機能を有する。ユーザがメール本文に文字を追加、削除する毎に文字数を管理する。
【００２６】
また、文字数監視部１６００は、現在のメールモードなどを記憶しており、作成しているメール本文の文字数が送信可能文字数に達したら、その旨を後述するメール送信方式選択部１７００に通知したり、モード変更部１８００にメールモードを変更する旨の依頼をする機能も有する。
メール送信方式選択部１７００は、作成しているメールの種類、言い換えれば、メールを送信する方式を決定する機能を有する。
【００２７】
具体的には、ディスプレイ１３００にメッセージを表示し、ユーザにメールの種類を選択させる。
モード変更部１８００は、メール作成部１５００で現在作成しているメールモードを変更する機能を有する。その際、新たなメールモードに合致するように、メールの宛先も変更する。具体的には、ＳＭＳメールの場合は電話番号であり、Ｅメールの場合はメールアドレスである。
【００２８】
ここで制御部１１００等の各部による各処理の全部または一部は、ＣＰＵ（図示していない）が各種プログラムを実行することにより実現されるものである。
＜データ＞
以下、携帯電話機１０００が用いる主なデータについて、図３および図４を用いて説明する。
【００２９】
図３は、メール方式情報３１００の内容例を示す図である。
このメール方式情報３１００は、メール方式記憶部３０００に記憶されており、メールの仕様を示したものである。
メール方式情報３１００は、メール種類３１１０、文字数３１２０および通信方式３１３０で構成される。
【００３０】
メール種類３１１０は、メールの呼び名を表し、メールの種類を識別するものである。
文字数３１２０は、メール種類３１１０で表されるメールで送信可能なメール本文の全角で表した場合の文字数である。本実施形態では、全角文字の数で表すが、データサイズなどであってもよい。。
例えば、メール種類３１１０「ＳＭＳメール」で表されるメールは、文字数３１２０「５０」とあることから、メール本文は５０文字まで送信することができる。
【００３１】
通信方式３１３０は、メールを送信する場合の交換方式を表す。例えば、メール種類３１１０「ＳＭＳメール」で表されるメールは、通信方式３１３０「回線交換方式」で送信される。
次に、図４は、アドレス情報２１００の内容例を示す図である。
このアドレス情報２１００は、アドレス帳記憶部２０００に記憶されており、１個人情報を示したものである。アドレス情報２１００が複数集まり、アドレス帳を構成する。
【００３２】
アドレス情報２１００は、名前２１１０、携帯電話番号２１２０、自宅電話番号２１３０、携帯メールアドレス２１４０およびＰＣメールアドレス２１５０で構成される。
名前２１１０は、このアドレス情報２１００で表される個人の名称であり、アドレス帳内で同じものはなく検索キーとなり得るものである。
携帯電話番号２１２０は、名前２１１０で表される個人の有する携帯電話機の番号であり、自宅電話番号２１３０は、自宅の固定電話機の電話番号である。
【００３３】
また、携帯メールアドレス２１４０は、名前２１１０で表される個人の有する携帯電話機へのメールアドレスであり、ＰＣメールアドレス２１５０は、自宅のパソコンへのメールアドレスである。
尚、携帯電話番号２１２０「0901112345（通常）」の「（通常）」は、この個人に電話をかける場合、携帯電話番号２１２０と自宅電話番号２１３０の内、この電話番号を通常使用する事を示す。ここで、ある個人に電話をかける場合に、特別の動作をしない限りこの番号にかかる。また、ＳＭＳメールの場合は、作成開始時に宛先にこの電話番号が設定される。
【００３４】
携帯メールアドレス２１４０も同様である。この場合は、メール作成開始時に宛先に設定される。
＜動作＞
以下、上述した携帯電話機１０００の動作について図５および図６を用いて説明する。
図５は、本携帯電話機のメール作成送信処理を示すフローチャートである。
【００３５】
また、図６は、メール作成送信処理におけるメール作成画面の例を示す図である。メール作成画面７０００からメール作成画面７１００、メール作成画面７２００およびメール作成画面７３００へと時系列で表示されていくものとする。
メール作成画面の図を参照しながら、図５を用いた動作説明を行う。
まず、ユーザは、操作部１２００からＳＭＳメールの作成を指示する。例えば、ＳＭＳメールの作成ボタンをユーザが押下する。
【００３６】
ＳＭＳメールの作成の指示を検知した操作部１２００は、制御部１１００を介してメール作成部１５００にその旨を通知する。
ＳＭＳメールの作成指示の通知を受けたメール作成部１５００は、ＳＭＳメールの作成開始の処理を行う（ステップＳ１００）。作成開始の処理とは、作成を開始するメールがＳＭＳメールである旨を文字数監視部１６００に通知することと、メールの作成をユーザに則すことである。
【００３７】
ＳＭＳメールである旨を受取った文字数監視部１６００は、そのメールモードの種類を内部の作業メモリに記憶する。また、そのメールモードとメール方式情報３１００とから送信可能文字数を取得し記憶する。例えば、現在のメールモードはＳＭＳメールのモードであるから、メール種類３１１０「ＳＭＳメール」の文字数３１２０は「５０」とあり、５０文字を送信可能文字数として記憶する。
【００３８】
また、メールの作成をユーザに則すとは、具体的には、制御部１１００を介してディスプレイ１３００にメール作成画面を表示し、入力を則す。メール作成画面（７０００、７１００、７２００）には、メール宛先欄（７０１０、７２１０、７３１０）とメール本文欄（７０２０、７２２０、７３２０）が表示されている。
ユーザは、ディスプレイ１３００に表示されているＳＭＳメールのメール作成画面を見ながら、操作部１２００を操作してメール宛先およびメール本文を作成していく（ステップＳ１１０、メール作成画面７０００参照）。
【００３９】
メール宛先欄７０１０にアドレス帳などを参照し、宛先を入力する。本実施形態では、説明の便宜上、電話番号またはメールアドレスをそのまま記載している（以下、同様）。宛先が誰であるかユーザが認識しやすいように、名前２１１０（図４参照）などを表示しておいてもよい。
このメール宛先は名前２１１０と伴に、メール作成部１５００内の作業メモリに記憶しておく。名前２１１０をキーにアドレス帳を検索できるようにである。
【００４０】
メール本文の作成は、操作部１２００からのかな入力を、制御部１１００が漢字に変換し、確定キーの押下などで確定された文字をメール作成部１５００が受取り、メール作成部１５００が内部の作業メモリに蓄積していく。
メール作成部１５００は確定された文字を受取ると、文字数監視部１６００に現在の文字数を通知する。通知後、文字数監視部１６００から作成続行の指示があったら次の文字の入力を行う。
【００４１】
文字数を受取った文字数監視部１６００は、記憶している送信可能文字数と比較して（ステップＳ１２０）、受取った文字数が送信可能文字数に達していれば（ステップＳ１２０：ＮＯ）、その旨をメール送信方式選択部１７００に通知する。尚、この通知は、例えば、送信可能文字数を超えた段階で通知することとしてもよく、また、漢字変換後に文字数を判断しても、かな入力の段階で判断してもよく、その判断は各システムに依存する。
【００４２】
その旨の通知を受取ったメール送信方式選択部１７００は、制御部１１００を介して、ポップアップメッセージ７１１０をディスプレイ１３００に表示する（ステップＳ２００）。
このポップアップメッセージ７１１０は、２つの目的で表示する。メール本文が送信可能文字数に達した為、これ以上の文字入力ができない旨をユーザに知らせる目的と、送信可能文字数がもっと多いメールに変更する機会を与える目的がある。
【００４３】
ポップアップメッセージ７１１０は、他のメールに切り替えることを指示する切替ボタン７１１１と、現在のメールの編集等を続行することを指示する編集ボタン７１１２とを有する。
ユーザがポップアップメッセージ７１１０のボタン（７１１１、７１１２）のいずれかを押下したら、操作部１２００が検出して制御部１１００に通知する。制御部１１００からボタンが押下された旨を通知されたメール送信方式選択部１７００は、ポップアップメッセージ７１１０を消去する旨の指示を制御部１１００に出す。
【００４４】
この時、編集ボタンが押下された（ステップＳ２１０：編集）旨を制御部１１００から受取ったメール送信方式選択部１７００は、その旨を文字数監視部１６００に通知する。通知を受取った文字数監視部１６００は、作成続行の指示をメール作成部１５００に通知し、通知を受けたメール作成部１５００はメールの編集、作成を続行する（ステップＳ１１０、メール作成画面７３００）。この場合、メール宛先欄７３１０およびメール本文欄７３２０に変更はない。
【００４５】
切替ボタン７１１１を押下された（ステップＳ２１０：切替）場合、制御部１１００からその旨を受取ったメール送信方式選択部１７００は、その旨を文字数監視部１６００に通知する。通知を受けた文字数監視部１６００は、記憶している現在のＳＭＳメールモードからＥメールモードに切り替えるよう、モード変更部１８００に指示を出す。その後、記憶している現在のメールモードとしてＥメールモードを記憶し、Ｅメールの送信可能文字数を記憶をする。例えば、５０００文字である（図３参照）。
【００４６】
Ｅメールモードへの切り替え指示を受けたモード変更部１８００は、メール作成部１５００に記憶しているメール宛先の名前２１１０を渡してくれるよう依頼し、渡された名前２１１０をキーとしてアドレス帳を検索する。該当する名前２１１０を有するアドレス情報２１００から「（通常）」の指定があるメールアドレスを選択し、そのアドレスの内容をメール作成部１５００に渡す。
【００４７】
メールアドレスを受取ったメール作成部１５００は、受取ったメールアドレスをメール宛先欄７２１０に表示する（ステップＳ２２０）。例えば、Ｅメール作成画面７２００では、メール宛先欄７２１０には、名前２１１０「山田華子」の携帯メールアドレス２１４０（図４参照）「aabb@xxx.ppp.jp」が入っている。
その後、Ｅメールモードでメールの作成を行う（ステップＳ２３０、メール作成画面７２００）。この場合、メール宛先欄７２１０は変更されているが、メール本文欄７２２０の変更はない。入力されていたメール本文はそのままである。すなわち、Ｅメールモードに変更されたとしても、ユーザはそのままメール本文の作成を続行でき、かつ、宛先を電話番号からメールアドレスに変更する手間も不要である。
【００４８】
メール本文の作成では、ステップ１２０と同様な手順で、Ｅメール本文の文字数のチェックを行い、送信可能文字数、Ｅメールは５０００文字、に達した場合（ステップＳ２４０：ＮＯ）は、ステップＳ２００でポップアップメッセージ７１１０を表示したのと同様の手順で、「Ｅメールで送信できる文字数に達しました。」という内容の警告メッセージを表示する（ステップＳ２５０）。ここで、了解した旨のキーが押下されれば、メール本文の作成を続行する（ステップＳ２３０）。
【００４９】
メール本文の文字数が送信可能文字数に達しておらず（ステップＳ２４０：ＹＥＳ）、制御部１１００が操作部１２００を介して文字入力キーの押下を検知すればメール本文の作成を続行する判断し（ステップＳ２６０：編集）メール本文の作成を行う（ステップＳ２３０）。
また、送信キーの押下を検知すれば（ステップＳ２６０：送信）、制御部１１００はメール送信方式選択部１７００にメールの送信方式を選択する旨の指示を出す。
【００５０】
指示を受取ったメール送信方式選択部１７００は、文字数監視部１６００に現在のメールモードを問い合わせ、取得したメールモードとメール方式情報３１００とから通信方式３１３０を選択する。例えば、現在のメールモードはＥメールのモードであるから、メール種類３１１０「Ｅメール」の通信方式３１３０「パケット交換方式」を選択する。メール送信方式選択部１７００は選択した通信方式３１３０をメール送信方式として制御部１１００に通知する。
【００５１】
メール送信方式の通知を受けた制御部１１００は、メール作成部１５００が記憶しているメール宛先とメール本文とをメール作成部１５００から受取り、受取ったメール送信方式と伴に送受信部１４００に渡し、送信を指示する。
送信の指示を受取った送受信部１４００は、受取ったメール送信方式に従い、パケット通信部１４１０または回線通信部１４２０にメールを送信するよう指示を出し、指示を受けた通信部（１４１０または１４２０）は、メールをそれぞれの方式に則り送信する。
【００５２】
現在のメールモードはＥメールモードであるから、パケット交換方式で送信する（ステップＳ２７０）。
メールの作成を開始したＳＭＳメールのままで、送信可能文字数に達しない場合で、文字入力キーが押下された場合は、ＳＭＳメール本文の作成を続行する（ステップＳ１３０：編集）。また、送信キーが押下された場合は、ステップＳ２７０と同様の手順で、作成したＳＭＳメールが回線交換方式で送信される（ステップＳ１４０）。
【００５３】
＜補足＞
以上、本発明に係る携帯電話機について実施形態に基づいて説明したが、この携帯電話機を部分的に変形することもでき、本発明は上述の実施形態に限られないことは勿論である。即ち、
（１）実施形態では、ポップアップメッセージを表示して、Ｅメールに切り替えるか否かをユーザに選択させることとしているが、予め自動的にモードが切り替わる旨の設定が出来ることとしておいてもよい。
【００５４】
この場合、メール送信方式選択部１７００が、自動で切り替わる旨を記憶しておく必要がある。
また、実施形態では、ＳＭＳメールとＥメールの２種類のメール機能を有する携帯電話機を例に説明していることから、ポップアップメッセージでは、Ｅメールに切り替えるか否かを問うメッセージとなっているが、送信可能な通信方式すべてを表示して、ユーザに選択させることとしてもよい。
（２）実施形態では、ＳＭＳメールからＥメールに、すなわち送信可能文字数が少ないメールから送信可能文字数が多いメールへの変更のみを説明したが、Ｅメールに変換した後、再度メール本文の文字数がＳＭＳメールで送信できる文字数まで減った時には、再度ＳＭＳメールへ変更することとしてもよい。
【００５５】
すなわち、メール本文の一部を削除した場合には、少なくなった文字数を送信できる方式に変更し、宛先もその通信方式に合ったものに変更する。
この場合も、ポップアップメッセージ等でユーザに選択させることとしても、予め変更するように設定することとしてもよい。
更に、メールの送信時に、メール本文の文字数から、メールモードを選択できることとしてもよい。
（３）実施形態では、２つの通信方式にそれぞれ１つずつのメール種類があることとして説明したが（図３参照）、１つの通信方式に送信可能文字数が異なるメール種類が複数あるとしてもよい。
（４）実施形態で示した携帯電話機の各機能を実現させる為の各制御処理（図２等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯電話機の各機能が実現される。
【産業上の利用可能性】
【００５６】
複数のメール機能を有する携帯端末において、メール作成中にメールの種類を選択できる技術として有用である。
【図面の簡単な説明】
【００５７】
【図１】携帯電話機が送信できるメールの送信方式を示す概略図である。
【図２】携帯電話機１０００の構成を示す機能ブロック図である。
【図３】メール方式情報３１００の内容例を示す図である。
【図４】アドレス情報２１００の内容例を示す図である。
【図５】携帯電話機のメール作成送信処理を示すフローチャートである。
【図６】メール作成送信処理におけるメール作成画面の例を示す図である。
【符号の説明】
【００５８】
１０００    携帯電話機
１１００    メール作成部
１１００    制御部
１２００    操作部
１３００    ディスプレイ
１４００    送受信部
１４１０    パケット通信部
１４２０    回線通信部
１５００    メール作成部
１６００    文字数監視部
１７００    メール送信方式選択部
１８００    モード変更部
２０００    アドレス帳記憶部
２１００    アドレス情報
３０００    メール方式記憶部
３１００    メール方式情報
７０００  ７１００  ７２００  ７３００    メール作成画面
７０１０  ７２１０  ７３１０    メール宛先欄
７０２０  ７２２０  ７３２０    メール本文欄
７１１０    ポップアップメッセージ
９０００    基地局
９１００    移動通信交換機
９１１０    電話網
９２００    パケット処理装置
９２１０    パケット交換網
【図１】
0004571036.tif 000002
【図２】
0004571036.tif 000003
【図３】
0004571036.tif 000004
【図４】
0004571036.tif 000005
【図５】
0004571036.tif 000006
【図６】
0004571036.tif 000007